(57)【要約】【課題】簡潔な構成を有し信頼性を向上できるスイッチギヤを得る。【解決手段】複数の主回路開閉部２，４にそれぞれ接続された複数の主回路固定側端子１、主回路固定側端子１からなる端子部材のそれぞれを個別に囲み絶縁するための絶縁筒部Ｓ、複数の主回路固定側端子１を導出する共通の開口部Ｐを有し複数の主回路開閉部２，４を収納する金属容器１４、金属容器１４の開口部Ｐを閉塞するための蓋体Ｃを備え、絶縁筒部Ｓと蓋体Ｃとを一体セラミック１３として一体に成形する。【選択図】図１
2005269696.tif 000002
【特許請求の範囲】
【請求項１】
複数の開閉部にそれぞれ電気的に接続され複数設けられた端子部材、複数設けられた前記端子部材のそれぞれを個別に囲み前記端子部材のそれぞれを絶縁するための絶縁筒部、複数設けられた前記端子部材を導出する複数設けられた前記端子部材に共通の開口部を有し前記複数の開閉部を収納する導電性容器、前記開口部を閉塞するための蓋体を備え、前記絶縁筒部と前記蓋体とを固体絶縁部材で一体に成形したことを特徴とするスイッチギヤ。
【請求項２】
前記導電性容器と接合する前記絶縁筒部と一体化された蓋体の縁部を前記導電性容器に向けて突出させたことを特徴とする請求項１に記載のスイッチギヤ。
【請求項３】
前記第２の端子部材に設けられた接地固定側接触子を有する接地開閉部を前記導電性容器に収納するとともに、前記接地開閉部の開閉動作による接地固定側接触子への衝撃を受ける台座を前記絶縁筒部と固体絶縁部材で一体に成形された前記蓋体に設けたことを特徴とする請求項１または請求項２に記載のスイッチギヤ。
【請求項４】
前記台座の前記導電性容器への突出高さを前記蓋体の縁部の前記導電性容器への突出高さと同じにすることを特徴とする請求項３のスイッチギヤ。
【請求項５】
前記絶縁筒部にケ−ブルを接続するために外径を縮小したケーブル接続用縮径部を設けたことを特徴とする請求項１から請求項４までのいずれかに記載のスイッチギヤ。
【発明の詳細な説明】
【技術分野】
【０００１】
この発明はスイッチギヤ、特に、複数の主回路開閉部を有するスイッチギヤに関するものである。
【背景技術】
【０００２】
母線側端子と負荷側端子とを接離する複数の主回路開閉部と、主回路開閉部にそれぞれ接続される複数の負荷側導体とを、金属容器およびセラミック筒からなる筒状絶縁物に収納したスイッチギヤに関し、従来技術においては、複数の負荷側導体のそれぞれをセラミック筒からなる筒状絶縁物で囲み気密状態にして絶縁を行っていた（例えば、特許文献１参照）。
【０００３】
【特許文献１】特開２０００−２６８６８５号
【発明の開示】
【発明が解決しようとする課題】
【０００４】
金属容器の蓋にセラミック筒を接合しようとすると熱膨張率の違いから生じる熱歪を緩和するためと同時に気密を保つための封止材料が必要で、また、セラミックのメタライズ部が導体近傍に配置されてしまうため電界緩和の措置が必要になり、従来技術では、このような封止処理および電界緩和処理を複数の負荷側導体のそれぞれについて施す必要があって、構成部品の数が多くなることによる信頼性の低下や大型で高価になる問題点があった。
【０００５】
この発明は、かかる問題点を解決するためになされたもので、簡潔な構成を有し信頼性を向上できるスイッチギヤを提供しようとするものである。
【課題を解決するための手段】
【０００６】
この発明に係るスイッチギヤでは、複数設けられた第１の端子部材および複数設けられた第２の端子部材をそれぞれ接離する複数の開閉部、前記複数設けられた第２の端子部材をそれぞれ個別に囲み第２の端子部材のそれぞれを絶縁するための絶縁筒部、前記複数設けられた第２の端子部材を導出する前記複数設けられた第２の端子部材に共通の開口部を有し前記複数の開閉部を収納する導電性容器、前記開口部を閉塞するための蓋体を備え、前記絶縁筒部と前記蓋体とを固体絶縁部材で一体に成形したものである。
【発明の効果】
【０００７】
この発明によれば、端子部材をそれぞれ絶縁するための絶縁筒部と導電性容器の開口部を閉塞するための蓋体とを固体絶縁部材で一体に成形することにより、簡潔な構成を有し信頼性を向上できるスイッチギヤを得ることができる。
【発明を実施するための最良の形態】
【０００８】
実施の形態１．
この発明による実施の形態１を図１について説明する。図１（ａ）は実施の形態１における構成を示す上面図である。図１（ｂ）は実施の形態１における構成を示す側断面図である。
【０００９】
図１において、複数の主回路固定側端子１には、それぞれ主回路固定側接触子２が設けられ、主回路固定側接触子２を囲んでアークシールド３が設けられている。主回路固定側接触子２に対向して主回路可動側接触子４が設けられ、複数の主回路可動側接触子４は互いに主回路可撓性導体５で電気的に接続されている。
主回路可動側接触子４はそれぞれ絶縁ロッド６を介して主回路可動側ロッドによって主回路固定側接触子２に対し開閉操作される。絶縁ロッド６の両端部には電界緩和シ−ルド７が設けられている。
接地可動側ロッド９は、接地可動側接触子１０を駆動することにより、接地固定側接触子１１に対する接離動作を行わせる。接地固定側接触子１１には腕部１７が設けられている。
金属容器１４は、主回路固定側接触子２および主回路可動側接触子４からなる複数の主回路開閉部を共通に収納する下面を開放した箱状体を構成し、金属容器１４の下面には複数の主回路固定側端子１を導出する複数の主回路固定側端子１に共通の開口部を形成している。
絶縁筒部Ｓおよび蓋体Ｃがセラミック部材で一体に成形された一体化セラミック部材１３は、金属容器１４の下面に配設され、一体化セラミック部材１３の絶縁筒部Ｓは主回路固定側端子１のそれぞれの絶縁を確保するために配設され、一体化セラミック部材１３の蓋体Ｃは金属容器１４の下面に設けられた開口部を閉塞するように配設される。一体化セラミック部材１３の絶縁筒部Ｓの下端面には主回路固定側端子１のそれぞれの周囲を囲んで封着板１２が設けられている。
【００１０】
従来は絶縁筒と真空容器の下部の接続部はセラミックと金属の熱膨張率の差から発生する熱応力の緩和とセラミックのメタライズ部の電界強度の緩和をする必要があり、構造が複雑になり、大型、コスト高となっていた。
図１のようにセラミック筒と金属容器の下部を一体セラミック１３にして真空容器１４と接合されることで、シンプルな構造を実現することができる。
【００１１】
この実施の形態１では、母線側端子と負荷側端子とを接離する複数の主回路開閉部と、負荷側導体を連結する導体と、負荷側端子または電源側端子と接地導体を接離する接地開閉部をセラミック筒および金属容器に収納してなる真空バルブにおいて、容器の一方の蓋とセラミック筒をセラミックで一体化したことを特徴とするスイッチギヤが提案されている。
この実施の形態１では、このような構成により、小型、低コスト、高信頼性のスイッチギヤを提供するものである。
【００１２】
この発明による実施の形態１によれば、主回路固定側接触子２および主回路可動側接触子４からなる複数の主回路開閉部にそれぞれ電気的に接続され複数設けられた主回路固定側端子１からなる端子部材、複数設けられた前記主回路固定側端子１からなる端子部材のそれぞれを個別に囲み前記主回路固定側端子１からなる端子部材のそれぞれを絶縁するための絶縁筒部Ｓ、複数設けられた前記主回路固定側端子１からなる端子部材を導出する複数設けられた前記主回路固定側端子１からなる端子部材に共通の開口部Ｐを有し前記主回路固定側接触子２および主回路可動側接触子４からなる複数の主回路開閉部を収納する金属容器１４からなる導電性容器、前記金属容器１４からなる導電性容器の前記開口部Ｐを閉塞するための蓋体Ｃを備え、前記絶縁筒部Ｓと前記蓋体Ｃとを固体絶縁部材で一体セラミック１３として一体に成形したので、端子部材をそれぞれ絶縁するための絶縁筒部と導電性容器の開口部を閉塞するための蓋体とを固体絶縁部材で一体に成形することにより、簡潔な構成を有し信頼性を向上できるスイッチギヤを得ることができる。
【００１３】
実施の形態２．
この発明による実施の形態２を図２について説明する。図２は実施の形態２における構成を示す上面図および側断面図である。
この実施の形態２において、ここで説明する特有の構成以外の構成については、先に説明した実施の形態１における構成と同一の構成内容を具備し、同様の作用を奏するものである。図中、同一符号は同一または相当部分を示す。
【００１４】
図２は、この発明による実施の形態２を示すものであり、３極の内いずれかに接地回路が設けられていないことを特徴としている。
図２において、ｃ極における接地可動側ロッド９および接地可動側接触子１０ならびに接地固定側接触子１１および腕部１７が省略されている。
【００１５】
スイッチギヤが用いられる回路によっては、必ずしも接地が必要とは限らず、不要な場合は構造上設置部の省略することで安価な装置が構成できる。図２においては１極のみの省略を示したが、２極を省略の対象とする場合も同様な効果を有する。
【００１６】
この発明による実施の形態２によれば、実施の形態１における構成において、３極の内いずれかに接地回路が設けられていない構成としたので、簡潔な構成を有し信頼性を向上できるとともに、必須の構成要素のみとすることによりコスト低減できるスイッチギヤを得ることができる。
【００１７】
実施の形態３．
この発明による実施の形態３を図３について説明する。図３は実施の形態３における構成を示す側断面図である。
この実施の形態３において、ここで説明する特有の構成以外の構成については、先に説明した実施の形態１および実施の形態２における構成と同一の構成内容を具備し、同様の作用を奏するものである。図中、同一符号は同一または相当部分を示す。
【００１８】
この実施の形態３では、一体化セラミック１３の縁周囲の金属容器と接合する部分を平面より高くすることを特徴としており、メタライズの容易性と金属容器との接合時の位置決めの容易さによるコスト低減および品質の向上の効果を有する。
図３において、一体化セラミック１３に設けられた縁部１５は、金属容器１４との接合部分に相当するものであり、その接合部分には接合強化のためメタライズ処理が施される。一体化セラミック１３の縁部１５は金属容器１４に向かって所定の突出高さで突出しており、接合強化のためメタライズ処理を容易に行わせることができる。
【００１９】
この発明による実施の形態３によれば、実施の形態１または実施の形態２における構成において、前記金属容器１４からなる導電性容器と接合する前記絶縁筒部Ｓと一体化された蓋体Ｃの縁部１５を前記金属容器１４からなる導電性容器に向けて突出させたので、簡潔な構成を有し信頼性を向上できるとともに、導電性容器に対する接合強化処理を容易に行えるスイッチギヤを得ることができる。
【００２０】
実施の形態４．
この発明による実施の形態４を図４について説明する。図４は実施の形態４における構成を示す側断面図である。
この実施の形態４において、ここで説明する特有の構成以外の構成については、先に説明した実施の形態１から実施の形態３までにおける構成と同一の構成内容を具備し、同様の作用を奏するものである。図中、同一符号は同一または相当部分を示す。
【００２１】
この発明による実施の形態４における構成を示す図４においては、接地固定側接触子１１の下部の一体化セラミック１３に接地回路開閉時の可動側ロッドからの操作力を受ける台座１６を設けたことによって接地固定側接触子の腕１８を細く構成できたことを特徴としている。
【００２２】
この発明による実施の形態４では、実施の形態１から実施の形態３における構成において、接地開閉部の開閉時の衝撃を一体化セラミック１３に設けた台座１６で受けることを特徴とするスイッチギヤが提案されている。
【００２３】
また、台座１６の接合面にメタライズを施すと接地固定側接触子の腕部１８と接合するため構造上信頼性が向上するが、台座１６の高さと一体化セラミックの縁部１５の高さを同じにすればメタライズを容易に施せて一体化セラミックが安価に製造できる。
【００２４】
この発明による実施の形態４によれば、実施の形態１から実施の形態４までのいずれかの構成において、前記第２の端子部材に設けられた接地固定側接触子を有する接地開閉部を前記導電性容器に収納するとともに、前記接地開閉部の開閉動作による接地固定側接触子への衝撃を受ける台座を前記絶縁筒部と固体絶縁部材で一体に成形された前記蓋体に設けたので、簡潔な構成を有し信頼性を向上できるとともに、接地開閉部の開閉動作時の衝撃を緩和できるスイッチギヤを得ることができる。
【００２５】
また、この発明による実施の形態４によれば、前項の構成において、前記台座の前記導電性容器への突出高さを前記蓋体の縁部の前記導電性容器への突出高さと同じにするようにしたので、簡潔な構成を有し信頼性を向上できるとともに、台座および蓋体縁部の接合強化処理を容易に行えるスイッチギヤを得ることができる。
【００２６】
実施の形態５．
この発明による実施の形態５を図５について説明する。図５（ａ）は実施の形態５における構成を示す上面図である。図５（ｂ）は実施の形態５における構成を示す側断面図である。
この実施の形態５において、ここで説明する特有の構成以外の構成については、先に説明した実施の形態１から実施の形態４までにおける構成と同一の構成内容を具備し、同様の作用を奏するものである。図中、同一符号は同一または相当部分を示す。
【００２７】
実施の形態１から実施の形態４までの説明では、３極について説明したが、３極より多いものについて適用しても同様な効果を有する。
この発明による実施の形態５の構成を示す図５においては、３極を超える多極数ｎの構成にしたものが示されている。
【００２８】
この発明による実施の形態５によれば、実施の形態１から実施の形態４までのいずれかの構成において、３極を超える多極数の構成にしたので、簡潔な構成を有し信頼性を向上できる３極を超える多極構成のスイッチギヤを得ることができる。
【００２９】
実施の形態６．
この発明による実施の形態６を図６について説明する。図６は実施の形態６における構成を示す側断面図である。
この実施の形態６において、ここで説明する特有の構成以外の構成については、先に説明した実施の形態１から実施の形態５までにおける構成と同一の構成内容を具備し、同様の作用を奏するものである。図中、同一符号は同一または相当部分を示す。
【００３０】
図６には、絶縁筒部分にケ−ブル接続できるように外周にテーパ部１９ａが設けられたテーパ付きセラミック１９が示されている。
【００３１】
この発明による実施の形態６では、セラミック筒にケーブルが接続できるようにテーパ（傾斜）または段がついていることを特徴とする実施の形態１から実施の形態６までのいずれかに記載のスイッチギヤが提案されている。
【００３２】
この発明による実施の形態６によれば、実施の形態１から実施の形態６までのいずれかにおける構成において、一体セラミック１３の絶縁筒部Ｓにケーブルを接続するために外径を縮小したテーパ部Ｔまたは段差が形成されたテ−パ付きセラミック１９からなるケーブル接続用縮径部を設けたので、簡潔な構成を有し信頼性を向上できるケーブル接続可能なスイッチギヤを得ることができる。
【図面の簡単な説明】
【００３３】
【図１】この発明に係わる実施の形態１における構成を示す上面図および側断面図である。
【図２】この発明に係わる実施の形態２における構成を示す上面図および側断面図である。
【図３】この発明に係わる実施の形態３における構成を示す側断面図である。
【図４】この発明に係わる実施の形態４および実施の形態５における構成を示す上面図および側断面図である。
【図５】この発明に係わる実施の形態５における構成を示す上面図および側断面図である。
【図６】この発明に係わる実施の形態６における構成を示す側断面図である。
【符号の説明】
【００３４】
１  主回路固定側端子、２  主回路固定側接触子、３  ア−クシ−ルド、４  主回路可動側接触子、５  主回路可撓性導体、６  絶縁ロッド、７  電界緩和シ−ルド、８  主回路可動側ロッド、９  接地可動側ロッド、１０  接地可動側接触子、１１  接地固定側接触子、１２  封着板、１３  一体化セラミック、１４  金属容器、１５  一体化セラミックの縁部、１６  一体化セラミックの台座、１７，１８  接地固定側接触子の腕部、１９  テ−パ付きセラミック。
【図１】
2005269696.tif 000003
【図２】
2005269696.tif 000004
【図３】
2005269696.tif 000005
【図４】
2005269696.tif 000006
【図５】
2005269696.tif 000007
【図６】
2005269696.tif 000008